(57)【要約】【課題】栽培が難しいと言われる野菜や園芸植物の栽培を、家庭の庭、ベランダ（ぬれ縁）、軒下、テラス、室内など非常に狭い場所で、種苗の前処理、農地（またはプランター）の準備、施肥（または追肥）処理などに、高度の熟練と経験知識を必要とすることなく（初心者でも）、非常に簡単に栽培を行うことが可能なポット菜園を得る。【解決手段】包装容器内に培養土と種苗とを充填し開口部を閉鎖してなるポット菜園。包装容器内に培養土と種苗とを充填し開口部を閉鎖してなるポット菜園の、該容器の所定位置を開封し、これに、水やり、射光、遮光または保温してポット菜園による植物の栽培を行う。【特許請求の範囲】
【請求項１】
包装容器内に培養土と種苗とを充填し開口部を閉鎖してなるポット菜園。
【請求項２】
包装容器内に培養土を充填し、予め該培養土の所定位置に種苗を埋設し、開口部を閉鎖してなるポット菜園。
【請求項３】
遮光性を有する包装容器内に培養土と種苗とを充填し開口部を閉鎖してなるポット菜園。
【請求項４】
遮光性を有する包装容器内に培養土を充填し、該培養土の所定位置に種苗を埋設した後、開口部を閉鎖してなるポット菜園。
【請求項５】
遮光性を有する包装容器が、遮光性を有する包装用袋または遮光性を有する包装用箱である請求項１〜請求項４のいずれかに記載のポット菜園。
【請求項６】
遮光性を有する包装容器が、黒色、青色、茶色あるいは緑色をした外周壁、またはアルミ箔を付着させた外周壁を有する包装容器である請求項１〜請求項４のいずれかに記載のポット菜園。
【請求項７】
包装容器が、合成樹脂製包装用袋または合成樹脂製包装用箱である請求項１〜請求項４のいずれかに記載のポット菜園。
【請求項８】
種苗が、野菜、果樹または草花の種苗である請求項１〜請求項４のいずれかに記載のポット菜園。
【請求項９】
種苗が、栄養繁殖植物体またはその一部である請求項１〜請求項４のいずれかに記載のポット菜園。
【請求項１０】
栄養繁殖植物体が、里芋、ショウガおよびミョウガなどの地下塊茎植物、アスパラガス、ウドおよびミツバなどの塊根植物、フキなどの地下茎植物、ヤマイモおよびコンニャクなどの塊根植物、またはニンニクなどの球根植物である請求項９に記載のポット菜園。
【請求項１１】
包装容器内に培養土と種苗とを充填し開口部を閉鎖してなるポット菜園の、該容器の所定位置を開封し、これに、水やり、射光、遮光または保温して植物を栽培することを特徴とするポット菜園による植物の栽培法。
【発明の詳細な説明】
【０００１】
【発明の属する技術分野】
本発明は、家庭の庭、ベランダ（ぬれ縁）、軒下、テラス、室内など非常に狭い場所で、栽培が難しいと言われる野菜や園芸植物などを、熟練や経験を必要とせずに（初心者でも）、非常に簡単に栽培を行うことが可能なポット菜園に関する。
なお、本発明でいう「ポット菜園」とは、包装容器内に培養土と種苗とを充填し開口部を閉鎖した包装体を意味する。
【０００２】
【従来の技術】
従来、栽培が難しいと言われる野菜の栽培、特に栄養繁殖植物体の栽培〔例えば（イ）里芋、ショウガおよびミョウガなどの地下塊茎植物、（ロ）アスパラガス、ウドおよびミツバなどの塊根植物、（ハ）フキなどの地下茎植物、（ニ）ヤマイモおよびコンニャクなどの塊根植物、および（ホ）ニンニクなどの球根植物の栽培〕は、それぞれを、その根株、地下茎、種いも、またはそれらの切片へと適当な大きさに株分け、または切断して、また球根は鱗片にバラして、栽培に適する形態にし、それらを、予め耕作、潅水、または肥料の施肥、追肥等をして栽培に適するように準備した農地またはプランター等に植え付け、次いで、当該野菜群の栽培期間中は、高度な熟練と経験に基づき定期的に灌水、追肥等を施し、害虫駆除、病気防除のため薬剤散布などして、栽培・育成した後、該野菜の収穫物を得ている。
しかしながら、この栽培法は当該栄養繁殖植物体に所定の前処理を施し、該繁殖植物体に適した農地やプランターを準備することが必要であり、また、定植後も、肥料の施肥、追肥等が必要となる煩雑さを要する。その上、この栽培法は、上記種苗の前処理、農地（またはプランター）の準備、施肥（または追肥）処理どに、高度の熟練と経験知識が必要となり、一般的な家庭では大変困難なことであった。
【０００３】
【発明が解決しようとする課題】
本発明は、栽培が難しいと言われる野菜や園芸植物の栽培を、家庭の庭、ベランダ（ぬれ縁）、軒下、テラス、室内など非常に狭い場所で、種苗の前処理、農地（またはプランター）の準備、施肥（または追肥）処理および薬剤散布処理などに、高度の熟練と経験知識を必要とすることなく（初心者でも）、非常に簡単に栽培を行うことが可能なポット菜園を提供することを目的とする。
【０００４】
【課題を解決するための手段】
本発明は、これらの課題を解決するために完成されたものであって、すなわち本発明は、包装容器内に培養土と種苗とを充填し開口部を閉鎖してなるポット菜園を提供する。
【０００５】
また本発明は、包装容器内に培養土を充填し、予め該培養土の所定位置に種苗を埋設し、開口部を閉鎖してなるポット菜園を提供する。
【０００６】
また本発明は、遮光性を有する包装容器内に培養土と種苗とを充填し開口部を閉鎖してなるポット菜園を提供する。
【０００７】
また本発明は、遮光性を有する包装容器内に培養土を充填し、該培養土の所定位置に種苗を埋設した後、開口部を閉鎖してなるポット菜園を提供する。
【０００８】
また本発明は、遮光性を有する包装容器が、遮光性を有する包装用袋または遮光性を有する包装用箱である前記のポット菜園を提供する。
【０００９】
また本発明は、遮光性を有する包装容器が、黒色、青色、茶色あるいは緑色をした外周壁、またはアルミ箔の外周壁を有する包装容器である前記のポット菜園を提供する。
【００１０】
また本発明は、包装容器が、合成樹脂製包装用袋または合成樹脂製包装用箱である前記のポット菜園を提供する。
【００１１】
また本発明は、種苗が、野菜、果樹または草花の種苗である前記のポット菜園を提供する。
【００１２】
また本発明は、種苗が、栄養繁殖植物体またはその一部である前記のポット菜園を提供する。
【００１３】
また本発明は、栄養繁殖植物体が、里芋、ショウガおよびミョウガなどの地下塊茎植物、アスパラガス、ウドおよびミツバなどの塊根植物、フキなどの地下茎植物、ヤマイモおよびコンニャクなどの塊根植物、またはニンニクなどの球根植物である前記のポット菜園を提供する。
【００１４】
また本発明は、包装容器内に培養土と種苗とを充填し開口部を閉鎖してなるポット菜園の、該容器の所定位置を開封し、これに、水やり、射光、遮光または保温して栽培することを特徴とするポット菜園による植物の栽培法を提供する。
【００１５】
【発明の実施の形態】
以下本発明を詳細に説明する。
まず、本発明のポット菜園は、包装容器内に培養土と種苗とを充填し開口部を閉鎖することにより得られる。
【００１６】
本発明において用いられる培養土としては、栽培する野菜、果樹、または草花などに適した窒素、燐酸、カリウムまたはカルシウム等の要素の少なくとも１つ、または化成肥料や有機質肥料等の即効性肥料、緩効性肥料、遅効性肥料、または即効性肥料と緩効性肥料との混合肥料の少なくとも１つ、を含有させたパーライト、ピートモス、ココピート、または通常の培養土等の吸湿性のある園芸用土資材が挙げられる。または上記培養土に必要により化成肥料および／または有機質肥料を施肥した培養土、または園芸用土資材に窒素、燐酸、カリウム、カルシウム、マグネシウム、化成肥料または有機質肥料の少なくとも１つを添加含有せしめた培養土などが挙げられる。
【００１７】
次に、本発明において用いられる種苗としては、野菜、果樹および草花（花卉）などの種苗が挙げられるが、その中で、栄養繁殖植物体またはその一部（例えば、その株分けしたもの、切断処理したもの）の利用が本発明の効果をよりよく奏するので好ましい。
【００１８】
なお、上記栄養繁殖植物体としては、里芋、ショウガおよびミョウガなどの地下塊茎植物、アスパラガス、ウドおよびミツバなどの塊根植物、フキなどの地下茎植物、ヤマイモおよびコンニャクなどの塊根植物、またはニンニクなどの球根が好ましい。
【００１９】
本発明において、上記栄養繁殖植物体は、そのまま、または乾燥させた後に使用することができるが、乾燥させた後に用いると、ポット菜園の保存性が良くなるので好ましい。また、種苗を殺菌剤で処理してから用いると、保存中および栽培中において病原菌の浸入予防と、浸入した病原菌の殺菌をすることができるので好ましい。
【００２０】
次に、本発明において用いられる包装容器としては、培養土と種苗とを充填し開口部を閉鎖し得る任意の包装容器が挙げられる。
例えば、防水加工した紙製袋、木製、石製（天然石、石膏ボード、セメントなど）、金属製、ポリエチレン、ポリスチレン、ポリプロピレンまたはプラスチック等の合成樹脂製、ガラス製など任意の素材でできた可撓性（あるいはフィルム状）の袋状包装容器、非可撓性（堅牢性）の包装用箱、非可撓性（堅牢性）の包装用瓶、非可撓性（堅牢性）の包装用缶などが挙げられる。
【００２１】
これらの包装容器は、無色透明〜着色不透明の素材まで任意の素材で作られているものが採用できる。
しかし、種苗の品種によっては、例えばアスパラガス、ウド、ネギ、ミツバなどにおいては、遮光性を有する包装容器を用いて栽培すると、収穫野菜の可食部の肌（外表面）が淡色、または白色になって、外観が美しくなり、しかも食感が軟らかくなるので、非常に好ましい。また、遮光性包装容器を用いるときは、外から容器内培養土が見えにくく、あるいは見えないので、包装容器全体の外観が美しくなるので好ましい。
【００２２】
遮光性を有する包装容器としては、黒色、青色、茶色あるいは緑色をした外周壁、またはアルミ箔の外周壁を有する包装容器が挙げられる。
【００２３】
また本発明は、包装容器内に培養土を充填した後、該培養土に種苗を埋設するが、その際、予め所定位置に種苗を埋設する。すなわち、種苗によって埋設適所が相違するので、埋設の深さ位置、種苗相互間の間隔などを好適化することは、期待通りの栽培成績を得るために重要となる。反対に埋設適所を無視した場合は、期待通りの栽培成績は得られない欠点を有する。例えば、アスパラガスは、培養土表面より２０〜２５ｃｍ、ウドおよび里芋は８〜１３ｃｍが好ましい。
【００２４】
本発明のポット菜園を用いて植物を栽培するには、上記ポット菜園の、該容器の所定位置を開封し、これに、水やり、射光、遮光または保温などして栽培する。
【００２５】
このようにして本発明によれば、従来栽培が非常に難しいとされていた、（イ）里芋、ショウガおよびミョウガ等の地下塊茎から作成した根株、（ロ）アスパラガス、ウドおよびミツバ等の塊茎から作成した根株、（ハ）フキ等の地下茎から作成した親株、（ニ）ジネンジョ、ナガイモ、イチョウイモ、ヤマトイモおよびヤモイモ等の塊茎の切片（種イモ）、（ホ）コンニャク等の種いも、その切片、および（ヘ）ニンニク等の球根の鱗片、を種苗として用い、家庭の庭、ベランダ（ぬれ縁）、軒下、テラス、室内など非常に狭い場所で、種苗の前処理、農地（またはプランター）の準備、施肥（または追肥）処理などを行うことなく（初心者でも）、非常に簡単に栽培して、高品質の野菜を収量多く収穫することができる。
【００２６】
【実施例】
以下実施例を示して本発明をより具体的に説明する。
【００２７】
実施例１
（アスパラガス作物のポット菜園の作成）
晩秋の１１月２８日、３７ｃｍ×１５ｃｍ×５７ｃｍの大きさで、厚さ０．０７ｍｍの、緑色に着色したポリエチレン製のフィルム状袋容器（底面が楕円形のスタンデイングパウチ）に、培養土（ホーネンアグリ社製ポットミックス）約８Ｌを入れ、これに畑より掘り取りしたアスパラガスの根株３株、約１ｋｇを発芽方向を上にして包装容器の底面から約３ｃｍ隔てた位置に埋設し（根株を包埋し）、次いで容器内の空気を抜きながら該袋の開口部をヒートシールして密封し、アスパラガス作物のポット菜園を得た。該包装容器を５℃の冷暗所で２ヶ月保管した。
【００２８】
実施例２
（２ヶ月保管したアスパラガス作物のポット菜園によるアスパラガスの栽培法）１月２７日にポット菜園を構成するフィルム状装容器（スタンデイングパウチ）の上端部を開封し、約２Ｌの水やりをした。水やり後は、萌芽までの期間、当該袋の開封口を洗濯バサミで閉じ、昼間は日照下のベランダに置いて、該作物の保温性と保湿性を高め、また、夜間は室内に取り込んで栽培した。そして、水やりから２週間後、アスパラガスの萌芽が始まると同時に洗濯バサミを外して、該野菜栽培セットの袋を開けた状態に保って、その栽培を継続した。その結果、３週間目より、伸長したアスパラガスが収穫できるようになり、全体として、３２本、２６０ｇの収穫物が得られた。
【００２９】
（アスパラガス作物のポット菜園（保管しない）によるアスパラガスの栽培法）一方、また、実施例１で得たアスパラガス作物のポット菜園をその日のうちに（晩秋の１１月２８日）に、フィルム状袋容器の上端部を開封し、実施例２と全く同様に栽培を継続した。その結果、高品質のアスパラガスを３９本、２８８ｇを得た。
【００３０】
以上の結果から、本発明によれば、栽培が難しいと言われるアスパラガス作物の栽培を、ベランダ（ぬれ縁）、室内など非常に狭い場所で、種苗の前処理、農地（またはプランター）の準備、施肥（または追肥）処理および薬剤散布処理などに、高度の熟練と経験知識を必要とすることなく（初心者でも）、非常に簡単に栽培を行うことができることが判る。また、２ヶ月間保管する、しないに拘わらず高品質のアスパラガスを高収量で得ることが判る。
【００３１】
実施例３
（里芋のポット菜園）
初夏の５月１６日に、３７×１５×５７ｃｍの大きさで、厚さ０．０７ｍｍの、白色のポリエチレン製のフィルム状袋容器に、下記培養土約８Ｌを入れ、これに市販されている約３６ｇの里芋（石川早生）の種イモ１個を、袋状容器の培養土表面より約８ｃｍの深さの位置に埋設した。次に、空気を抜きながら、該袋をヒートシールして密封し、里芋作物のポット菜園を得た。
培養土：ホーネンアグリ社製「ポットミックス」に協同肥料社製・即効性肥料「園芸化成Ｓ２００」およびハイポネクスジャパン社製・緩効性肥料「マグァンプＫ」をそれぞれ３ｇ／Ｌと４ｇ／Ｌの割合で添加し、均一に混合してなる培養土。
【００３２】
実施例４
（里芋作物のポット菜園による里芋の栽培法）
実施例３で得た里芋作物のポット菜園を室温で１ヶ月保管した後（６月１５日）に、陽当りのよいベランダにてフィルム状袋容器の上端部を開封し、これに約６Ｌの水やりをした。この水やりは、栽培期間中、当該培養土が乾燥しないように定期的に行なった。そして、栽培開始３週間後には、当該里芋の萌芽が始まり、順調に生育を続けた。その結果、１１月１４日には、里芋の子イモと孫イモが合計１７個、９８０ｇと芋茎が３３０ｇ収穫できた。
【００３３】
実施例５
（ウド作物のポット菜園の作成）
冬季の１２月２０日に、３７×１５×５７ｃｍの大きさで、厚さが０．０７ｍｍの、黒色に内部コートした遮光性のポリエチレン製のフィルム状袋容器に、下記培養土を詰め、次いで農家より分譲を受け、４分割にしたウド（在来種）の根株をフィルム状袋容器の培養土表面から約１０ｃｍの深さの位置に埋設した。次いで、空気を抜きながら、当該ウドを埋設した袋をヒートシールして密封し、ウドのポット菜園を得た。
培養土：ホーネンアグリ社製「ポットミックス」に協同肥料社製即効性肥料の「園芸化成Ｓ２００」を３ｇ／Ｌの割合で添加し、均一に混合してなる培養土。
【００３４】
実施例６
（ウド作物のポット菜園によるウドの栽培法）
実施例５で得たウド作物のポット菜園を、翌年１月２０日に、陽当りのよいテラスにてフィルム状袋容器の上端部を開封し、これに約３リットルの水やりをした。
そして、洗濯ハサミで当該袋の開封部を閉じて、当該ウドの根株の保温と保湿を行った。当該ウドの栽培中は、培養土の表面が乾燥しないように、定期的に水やりを行なった。そして、栽培開始３週間後、該ウドの萌芽が始まり、４週間程度で芽が袋から伸び出すほどに伸張した。この栽培において茎長３０ｃｍ程度の軟化ウドが５本収穫できた。
【００３５】
実施例７
（アスパラガス作物のポット菜園の作成）
晩秋の１１月２６日、３０×５５ｃｍの大きさで、厚さ０．０４ｍｍの黒色のビニール袋（フィルム状袋容器）に、太平洋パーライト社製の肥料を全く添加しない園芸用土資材「パーライトＭ−１」約１Ｌを入れ、これを１６×１６×１７ｃｍの大きさで、厚さ０．２ｍｍの、透明のポリプロピレン製の包装用箱に、収納し、フィルム状袋容器の形状を包装用箱内部の形状に一致させた後、培養土に対しアスパラガスの根株１株、約６００ｇを底面から約２ｃｍ隔てた位置でほぼ中央部の位置に埋設し、次いでフィルム状袋容器内の空気を抜きながら、該袋をヒートシールして密封し、包装用箱に外側から蓋をして、アスパラガスの箱型ポット菜園を得た。そしてこの菜園を５℃の冷暗所に２ヶ月保管した。
【００３６】
実施例８
（アスパラガス作物のポット菜園によるアスパラガスの栽培法）
実施例７で得たアスパラガス作物のポット菜園を２ヶ月保管した後（立春少し前の１月３０日）に、包装用箱の上蓋と、内袋の上端部をそれぞれ開封し、これに約０．５Ｌの水やりをした。水やり後は、輪ゴムで内袋を閉じて、部屋の中のテーブル上で、栽培を開始した。この栽培期間中は、当該内袋中のパーライトＭ−１が乾燥しないように定期的に霧吹きで散水した。そして、２週間目には、軟化したホワイトアスパラガスが収穫できるようになり、高品質のアスパラガスを合計で２１本、２２０ｇを収穫した。
【００３７】
実施例９
（コンニャクのポット菜園の作成）
３月１５日に、冬季間、屋内貯蔵したコンニャクいも１個を、大きさ３７×１５×５７ｃｍで、厚さ０．０７ｍｍの黒色のビニール袋（フィルム状袋容器）に入れた。そして、これに下記培養土約１２Ｌを入れ、コンニャクを底壁より１０ｃｍ隔てた位置で中央付近位置に埋設した。次いで、空気を抜きながら、当該ビニール袋をヒートシールして密封して、コンニャクのポット菜園を得た。
培養土：ホーネンアグリ社製「ポットミックス」に協同肥料社製・即効性肥料「園芸化成Ｓ２００」およびハイポネクスジャパン社製・緩効性肥料「マグァンプＫ」をそれぞれ３ｇ／Ｌと４ｇ／Ｌの割合で添加し、均一に混合してなる培養土。
【００３８】
実施例１０
（コンニャクのポット菜園によるコンニャクの栽培法）
４月１８日に実施例９で得たコンニャクのポット菜園のフィルム状袋容器の上端部を開封して、種いもに水やりし、開封した袋を再び輪ゴムで閉じて、家のベランダで栽培を開始した。この栽培期間中は、当該袋中の培養土が乾燥しないように定期的に水やりした。そして、１１月２０日には、主芽が鋭く尖り、５２０ｇと重く充実して、球茎の高さのあるコンニャクいもを収穫した。
【００３９】
【発明の効果】
本発明は、栽培が難しいと言われる野菜や園芸植物の栽培を、家庭の庭、ベランダ（ぬれ縁）、軒下、テラス、室内など非常に狭い場所で、種苗の前処理、農地（またはプランター）の準備、施肥（または追肥）処理などに、高度の熟練と経験知識を必要とすることなく（初心者でも）、非常に簡単に栽培を行うことが可能なポット菜園を得ることができる。また本発明によれば、高品質の野菜や園芸植物を収量多く収穫することができる。